(57)【要約】【課題】マナーモードの設定解除忘れを防止するため、簡易な設定解除方法を備えた携帯電話端末を提供する。【解決手段】カテゴリに設定時間を関連付けて格納する記憶手段と、マナーモードを設定する時間を管理する時間管理手段と、選択されたカテゴリに関連付けられた設定時間にしたがってマナーモードを設定解除するモード制御手段とを備える。【選択図】図３
2010011035.tif 000002
【特許請求の範囲】
【請求項１】
カテゴリに設定時間を関連付けて格納する記憶手段と、
マナーモードを設定する時間を管理する時間管理手段と、
選択された前記カテゴリに関連付けられた設定時間にしたがってマナーモードを設定解除するモード制御手段とを備えることを特徴とする携帯電話端末。
【請求項２】
前記モード制御手段は、ユーザにより直接入力された設定時間にしたがってマナーモードを設定解除することを特徴とする請求項１記載の携帯電話端末。
【請求項３】
前記記憶手段は、マナーモード設定時にユーザにより直接入力されたカテゴリ及び設定時間を関連付けて格納することを特徴とする請求項２記載の携帯電話端末。
【請求項４】
前記記憶手段は、スケジュールと連動し、前記スケジュールからカテゴリ及び設定時間を抽出して格納することを特徴とする請求項１から３のいずれか１項に記載の携帯電話端末。
【請求項５】
前記設定時間は、経過時間又は時刻であることを特徴とする請求項１から４のいずれか１項に記載の携帯電話端末。
【請求項６】
前記記憶手段は、前記記憶手段に格納されている同一名称のカテゴリが格納される時に格納するカテゴリを他の名称に変更して格納することを特徴とする請求項１から５のいずれか１項に記載の携帯電話端末。
【請求項７】
前記記憶手段は、前記記憶手段に格納されている同一名称のカテゴリが格納される時に前記格納されている同一名称のカテゴリの設定時間を新たに格納する同一名称のカテゴリに関連付いた設定時間で更新することを特徴とする請求項１から５のいずれか１項に記載の携帯電話端末。
【請求項８】
前記記憶手段は、前記カテゴリを順番付けして格納する優先順決定手段を有し、
数字キーにより順番付けられたカテゴリを選択可能にすることを特徴とする請求項１又は３から７のいずれか１項に記載の携帯電話端末。
【請求項９】
前記優先順決定手段は、設定回数の多い順に順番付けすることを特徴とする請求項８記載の携帯電話端末。
【請求項１０】
カテゴリに設定時間を関連付けて格納する記憶ステップと、
マナーモードを設定する時間を管理する時間管理ステップと、
選択された前記カテゴリに関連付けられた設定時間にしたがってマナーモードを設定解除するモード制御ステップとを備えることを特徴とする携帯電話端末のマナーモード設定解除方法。
【発明の詳細な説明】
【技術分野】
【０００１】
本発明は、無音で内蔵バイブレータなどによってユーザに着信を知らせるマナーモード機能を有する携帯電話端末及びそのマナーモード設定解除方法に関する。
【背景技術】
【０００２】
会議中や面談中あるいは公共交通機関内、映画上映中などの状況下においては大きな音が漏れると周囲に迷惑がかかることになる。しかし、そのような場合に常に携帯電話の電源をＯＦＦにしてしまうと、電源を再び入れるまでは、着信があったのかさえわからないため、重要な連絡まで逃してしまったり、またメール機能も使えなくなってしまう。
【０００３】
上記のような場合の着信に備えて、携帯電話の殆どが着信音を無音にすると共に、着信音に代えて内蔵バイブレータを駆動する機能を設定するマナーモードを備えている。
【０００４】
従来、携帯電話におけるマナーモードの設定／解除は利用者に委ねられ、必要に応じて手動で設定、あるいは解除する構成となっている。すなわち、ユーザがその都度マナーモード設定／解除ボタンを押さないと、携帯電話の通常モードとマナーモードとを切り替えることができない。
【０００５】
そのため、利用者がマナーモードを設定し忘れてしまうことが多く、着信音が周囲に迷惑をかけたり、あるいはマナーモードを設定したまま解除し忘れてしまい、必要な時に着信に気づけないこともある。特に、マナーモードに設定しても設定解除するのを忘れてしまい、必要な時に着信に気づかずに着信を受けられない事は、どこでも通話可能な携帯電話端末の利便性を妨げることになる。
【０００６】
そこで、利用者のマナーモードの設定／解除のし忘れをカバーするため、マナーモードの自動的な設定／解除に関して様々な技術が開発されている。
【０００７】
例えば特許文献１では、地理的なマナーモードの設定／解除について、ＧＰＳ装置による端末位置情報が入力されるサーバを備え、利用者は携帯電話から該サーバにアクセスすることによってマナーモードの設定／解除の条件をデータベースに予め登録し、登録された条件に基づいてサーバからの指示に従い、自動でマナーモードの設定／解除が行われる技術について開示されている。
【０００８】
また、特許文献２においては、過去に設定された時間帯を履歴データとして登録しておき、該履歴データを基にマナーモードの設定を行う発明について開示されている。
【０００９】
また、特許文献３では、携帯電話における時間的なマナーモードの設定／解除機能を、定期・不定期を問わず、携帯電話における予定事象のスケジュール管理機能に付帯させ、所定の予定事象にフラグを立てるか否かを選択することによって、利用者が手間なく容易に自動的なマナーモードの設定／解除を行い得るシステムを提供する技術について開示されている。
【特許文献１】特開２００３−２０９８８４号公報
【特許文献２】特開２００４−２５３９８０号公報
【特許文献３】特開２００５−１８４３２７号公報
【発明の開示】
【発明が解決しようとする課題】
【００１０】
しかしながら、特許文献１の発明では、ＧＰＳ装置を必須要件とするため、構成が複雑で、対象外の地域では利用が制限されてしまうことになる。また、特許文献２の発明によれば、履歴データを参照して過去に行った時間帯について同じ条件でマナーモードを設定できるが、会議などの開始時間が毎回異なる場合には対応できない。さらに特許文献３の発明によれば、スケジュール管理とともにマナーモードの設定を行うことができるが、毎回開始時間及び終了時間をユーザが指定しなければならない。
【００１１】
本発明は、上記問題点に鑑みてなされたもので、マナーモードの設定解除忘れを防止するため、簡易な設定解除方法を備えた携帯電話端末を提供することを目的とする。
【課題を解決するための手段】
【００１２】
上記課題を解決するため、本発明における携帯電話端末は、カテゴリに設定時間を関連付けて格納する記憶手段と、マナーモードを設定する時間を管理する時間管理手段と、選択されたカテゴリに関連付けられた設定時間にしたがってマナーモードを設定解除するモード制御手段とを備えることを特徴とする。
【００１３】
モード制御手段は、ユーザにより直接入力された設定時間にしたがってマナーモードを設定解除することを特徴とする。
【００１４】
記憶手段は、マナーモード設定時にユーザにより直接入力されたカテゴリ及び設定時間を関連付けて格納することを特徴とする。
【００１５】
記憶手段は、スケジュールと連動し、スケジュールからカテゴリ及び設定時間を抽出して格納することを特徴とする。
【００１６】
設定時間は、経過時間又は時刻であることを特徴とする。
【００１７】
記憶手段は、記憶手段に格納されている同一名称のカテゴリが格納される時に格納するカテゴリを他の名称に変更して格納することを特徴とする。
【００１８】
記憶手段は、記憶手段に格納されている同一名称のカテゴリが格納される時に格納されている同一名称のカテゴリの設定時間を新たに格納する同一名称のカテゴリに関連付いた設定時間で更新することを特徴とする。
【００１９】
記憶手段は、カテゴリを順番付けして格納する優先順決定手段を有し、数字キーにより順番付けられたカテゴリを選択可能にすることを特徴とする。
【００２０】
優先順決定手段は、設定回数の多い順に順番付けすることを特徴とする。
【００２１】
また、本発明における携帯電話端末のマナーモード設定解除方法は、カテゴリに設定時間を関連付けて格納する記憶ステップと、マナーモードを設定する時間を管理する時間管理ステップと、選択されたカテゴリに関連付けられた設定時間にしたがってマナーモードを設定解除するモード制御ステップとを備えることを特徴とする。
【発明の効果】
【００２２】
本発明により、予めマナーモードの設定解除時間を関連付けて記憶されたカテゴリを選択することで、マナーモードの解除忘れを防止することが可能となる。
【発明を実施するための最良の形態】
【００２３】
図１は、本発明の実施形態における携帯電話端末の構成図であり、図２は、携帯電話端末の模式図を示す。
【００２４】
本端末は、アンテナ１１と、無線部１２と、表示部１３と、操作部１４と、制御部１５と、メモリ１６と、スピーカ１８と、タイマ１９と、音声入力部２０と、音声出力部２１と、バイブレータ２２と、電池１７とで構成される。
【００２５】
アンテナ１１は、送受信波を検出し、無線部１２にて無線信号を送受信する。また、表示部１３は、携帯電話端末の画像情報を表示し、操作部１４のキースイッチをユーザが操作することで入出力が行われる。
【００２６】
制御部１５は、携帯電話端末の全体における動作の制御を行う。また、メモリ１６は、端末内の様々な情報を記憶する。
【００２７】
スピーカ１８は、マナーモードに設定されていない通常時などに着信音を発生し、着信通知などを行う。また、タイマ１９は、設定された時間から各動作を管理する。
【００２８】
音声入力部２０では、送話を行い、音声出力部２１は、受話を行う。バイブレータ２２は、音が発生すると周囲に迷惑がかかる場合などに、マナーモードなどに設定することによって着信音の替わりに振動で着信をユーザに知らせ、通知を行う。
【００２９】
次に、本発明の実施形態におけるマナーモードの設定方法について詳細に説明する。図３は、マナーモード設定操作時の表示部における表示例である。
【００３０】
表示例上のカテゴリは、予めマナーモードの設定時刻が関連付けられており、左の▼ボタンを押下することにより、メモリ内に記憶されているカテゴリ全てが一覧表示される。
【００３１】
図３（ｂ）は、▼ボタンを押して一覧表示されたときの表示例である。例えば、会議には、１時間３０分の設定時間が関連付けられており、休憩には１５分、電車には４５分の設定時間が関連付けられている。
【００３２】
図３（ｃ）は、カテゴリに会議を選択した場合の設定例である。会議には、１時間３０分の設定時間が予め関連付けられているため、表示部の設定時間の欄には会議の選択と同時に１時間３０分の表示がされる。
【００３３】
選択決定後、設定時間に表示された経過時間がタイマによって計測され、設定時間を経過すると自動でマナーモードの設定が解除されるよう動作する。
【００３４】
本実施形態では、カテゴリの関連付けを経過時間によって行ったが、これに限るものではなく、例えば設定時間を１：００〜３：００のように時刻によって関連付けてもよい。これにより、マナーモードが必要な時間の直前に操作を行うことなく、予め設定をしておくことで必要な時間にマナーモードに切り替えることができる。
【００３５】
一方、上記例では、カテゴリを予め記憶された一覧から選択したが、一覧に所望の時間を有するカテゴリがない場合には、直接入力により設定をすることも可能である。
【００３６】
直接入力する場合には、カテゴリには予め関連付けられた設定時間も存在しないため、カテゴリ及び設定時間をユーザが操作部のボタンから直接入力することになる。カテゴリ名は、限定されることはなく、例えば１文字だけでもよい。
【００３７】
設定時間は、経過時間及び時刻で指定すればよい。その際の入力方法について詳細に説明する。
【００３８】
図４は、直接入力時における設定例を示す図である。例えば、設定時間を経過時間で２時間２０分に設定する場合、まず、数字キーの２、＊と押すことで、２時間（時間）が設定される。
【００３９】
続いて、数字キーの２、０、＃と押すことで、２０分（分）を設定することができ、２時間２０分後にタイマにより、マナーモード設定が解除されることになる。
【００４０】
一方、時刻を設定する場合には、＊＊＋時間（数字キー４回）：マナーモード設定開始時間、＃＃＋時間（数字キー４回）：マナーモード設定解除時間、とすることで時刻設定が可能となる。
【００４１】
また、直接入力されたカテゴリ名及び設定時間は、設定時間を関連付けた状態でメモリ内に記憶され、次回から▼ボタンを押すことによってカテゴリ一覧に表示されることになる。
【００４２】
さらに、一覧表示されるカテゴリは、スケジュール機能と連動しており、スケジュール機能に入力された用件をカテゴリ名、開始時間及び終了時間をそれぞれ設定時刻としてメモリ内に記憶し、次回からカテゴリ一覧にて選択可能となる。
【００４３】
また、同一のカテゴリ名が入力された場合には、設定時刻を更新するか、あるいはカテゴリ名の後に番号を付加して別のカテゴリとして登録する。
【００４４】
また、図３（ｄ）で示すように▼ボタンを押した際に一覧表示されるカテゴリは、登録順や設定回数順に１から順番に番号付けされ、カテゴリ選択時に所望のカテゴリに付した同一の数字キーを押すことによってカテゴリを選択することが可能である。また、例えば番号が２桁になる場合には、１桁目の入力後、所定の入力受付時間を設けて判断すればよい。
【００４５】
図５は、本発明の実施形態におけるマナーモード設定時のフローチャート図である。
【００４６】
まず、マナーモードが設定されると（ステップＳ１１）、設定時間がユーザにより設定されたか否かを判断する（ステップＳ１２）。
【００４７】
設定時間が設定されなかった場合には、ユーザからのマナーモード解除のキー操作を受け付けることによってマナーモードを解除する（ステップＳ１３）。
【００４８】
一方、設定時間が設定された場合には、タイマの始動を開始し（ステップＳ１４）、設定時間が経過したか否かを判断する（ステップＳ１５）。設定時間が経過していなければそのまま処理を続け、設定時間が経過したら、マナーモードの解除を行う（ステップＳ１６）。
【００４９】
上記のように、マナーモード機能付き携帯電話端末において、マナーモード設定を予め記憶された設定時間を選択することで、タイマによって自動で解除出来る。数字キーからの操作で簡単に実現させる操作方法を提供することで、ユーザは素早く、容易に機能設定を活用することが可能である。
【００５０】
以上、本発明の好適な実施の形態により本発明を説明した。ここでは特定の具体例を示して本発明を説明したが、特許請求の範囲に定義された本発明の広範囲な趣旨および範囲から逸脱することなく、これら具体例に様々な修正および変更が可能である。
【図面の簡単な説明】
【００５１】
【図１】本発明の実施形態に係る携帯電話端末の構成図である。
【図２】本発明の実施形態に係る携帯電話端末の模式図である。
【図３】本発明の実施形態に係るマナーモード設定時の表示例を示す図である。
【図４】マナーモード設定操作例である。
【図５】本発明の実施形態に係るマナーモード設定時のフローチャート図である。
【符号の説明】
【００５２】
１１    アンテナ
１２    無線部
１３    表示部
１４    操作部
１５    制御部
１６    メモリ
１７    電池
１８    スピーカ
１９    タイマ
２０    音声入力部
２１    音声出力部
２２    バイブレータ
【図１】
2010011035.tif 000003
【図２】
2010011035.tif 000004
【図３】
2010011035.tif 000005
【図４】
2010011035.tif 000006
【図５】
2010011035.tif 000007